(57)【要約】【課題】カップ本体の筒壁部内周面の底端部から中程部まで雌ねじ部が形成され、中程部から上端部まで雌ねじ部が無い平滑面をもつ無雌ねじ部に形成され、底面部材の上限が定められ、計量収容部のペットフードの標準的収納量を定めることができる。【解決手段】筒壁部２内周面２ｃに雌ねじ部３が形成された円筒状のカップ本体１と、カップ本体の筒壁部内に配置され、外周面に雌ねじ部に螺着可能な雄ねじ部５が形成され、底部に摘まみ部４ａが形成された底面部材４とを備え、カップ本体の筒壁部の上端部２ａから底面部材の上面４ｂまでの筒壁部の内周面に囲まれた内部空間をペットフードＰの計量収容部Ｋとされてなり、カップ本体の筒壁部内周面の底端部２ｂから中程部Ｍまで雌ねじ部が形成され、筒壁部内周面の中程部から上端部まで雌ねじ部が無い平滑面６ａをもつ無雌ねじ部６に形成され、カップ本体の筒壁部に計量目盛を有しない。【選択図】図１
2019211221.tif 000002
【特許請求の範囲】
【請求項１】
上端部及び底端部が開口する筒壁部を有し、該筒壁部内周面に雌ねじ部が形成された円筒状のカップ本体と、該カップ本体の筒壁部内に配置され、外周面に該雌ねじ部に螺着可能な雄ねじ部が形成され、底部に摘まみ部が形成された底面部材とを備え、該カップ本体の筒壁部の上端部から底面部材の上面までの筒壁部の内周面に囲まれた内部空間をペットフードの計量収容部とされてなり、上記カップ本体の筒壁部に取手部が突設され、上記カップ本体の筒壁部内周面の底端部から中程部まで上記雌ねじ部が形成され、該筒壁部内周面の中程部から上端部まで雌ねじ部が無い平滑面をもつ無雌ねじ部に形成され、上記カップ本体の筒壁部に計量目盛を有しないことを特徴とするペットフード用計量カップ。
【請求項２】
上記カップ本体の筒壁部内周面の中程部に上記底面部材の上限位置を定める規制部を設けてなることを特徴とする請求項１記載のペットフード用計量カップ。
【請求項３】
上記カップ本体は不透明素材からなることを特徴とする請求項１又は２記載のペットフード用計量カップ。
【請求項４】
上記カップ本体は合成樹脂材からなることを特徴とする請求項１〜３のいずれか１項に記載のペットフード用計量カップ。
【請求項５】
上記カップ本体の筒壁部内周面の直径は４０ｍｍ〜５５ｍｍであることを特徴とする請求項１〜４のいずれか１項に記載のペットフード用計量カップ。
【発明の詳細な説明】
【技術分野】
【０００１】
本発明は例えば犬や猫などの愛玩動物の飲食に供するペットフード用計量カップに関するものである。
【背景技術】
【０００２】
従来、この種のペットフード用計量カップとして、上端部及び底端部が開口する筒壁部を有し、筒壁部内周面に上端部から底端部までの全内周面に雌ねじ部が形成され、筒壁部に目盛が形成された円筒状のカップ本体と、カップ本体の筒壁部内に配置され、外周面に該雌ねじ部に螺着可能な雄ねじ部が形成され、底部に摘まみ部が形成された底面部材とを備え、カップ本体の筒壁部の上端部から底面部材の上面までの筒壁部の内周面に囲まれた内部空間をペットフードの計量収容部としてなる構造のものが知られている。
【０００３】
しかして、上記カップ本体の全内周面に形成された雌ねじ部に上記底面部材の外周面に形成された雄ねじ部が螺着され、底面部材を摘まみ部をもって回動し、カップ本体の上端部と底面部材の上面との深さにより上記カップ本体の計量収容部の大きさを可変し、ペットフード自体のメーカー仕様、愛玩動物の種類や体重などに適合して定めた計量収容部内に粒状等のペットフードを収容し、計量収容部内の計量されたペットフードを給餌皿などに排出して愛玩動物の飲食に供することになる。
【先行技術文献】
【特許文献】
【０００４】
【特許文献１】実開昭５８−１１２９２８号公報
【特許文献２】特開２０１６−２０８９５４公報
【発明の概要】
【発明が解決しようとする課題】
【０００５】
しかしながらこれら従来構造の場合、カップ本体の筒壁部の上端部から底面部材の上面までの上記計量収容部の大きさの基準を示す深さ目盛が必要となり、深さ目盛は底面部材と共にカップ本体の外部から視認することになるから、カップ本体は透明材又は半透明材により製作されることになり、カップ本体のカラー化やデザイン化の際の制約が生ずることがあり、又、カップ本体の筒壁部内周面に上端部から底端部までの全内周面に雌ねじ部が形成された構造のため、粒状等のペットフードの粉などが雌ねじ部の内底部内に詰入し、ペットフードの計量精度の低下が生じたり、雌ねじ部の掃除が厄介となったり、底面部材の回動が困難となったり、ペットフードをカップ本体から給餌皿などに円滑に流出させることができないことがあるという不都合を有している。
【課題を解決するための手段】
【０００６】
本発明はこのような不都合を解決することを目的とするもので、本発明のうち、請求項１記載の発明は、上端部及び底端部が開口する筒壁部を有し、該筒壁部内周面に雌ねじ部が形成された円筒状のカップ本体と、該カップ本体の筒壁部内に配置され、外周面に該雌ねじ部に螺着可能な雄ねじ部が形成され、底部に摘まみ部が形成された底面部材とを備え、該カップ本体の筒壁部の上端部から底面部材の上面までの筒壁部の内周面に囲まれた内部空間をペットフードの計量収容部とされてなり、上記カップ本体の筒壁部に取手部が突設され、上記カップ本体の筒壁部内周面の底端部から中程部まで上記雌ねじ部が形成され、該筒壁部内周面の中程部から上端部まで雌ねじ部が無い平滑面をもつ無雌ねじ部に形成され、上記カップ本体の筒壁部に計量目盛を有しないことを特徴とするペットフード用計量カップにある。
【０００７】
又、請求項２記載の発明は、上記カップ本体の筒壁部内周面の中程部に上記底面部材の上限位置を定める規制部を設けてなることを特徴とするものであり、又、請求項３記載の発明は、上記カップ本体は不透明素材からなることを特徴とするものであり、又、請求項４記載の発明は、上記カップ本体は合成樹脂材からなることを特徴とするものであり、又、請求項５記載の発明は、上記カップ本体の筒壁部内周面の直径は４０ｍｍ〜５５ｍｍであることを特徴とするものである。
【発明の効果】
【０００８】
本発明は上述の如く、請求項１記載の発明にあっては、カップ本体の筒壁部内に配置された底面部材を摘まみ部をもって回動し、雌ねじ部と雄ねじ部との螺合により底面部材を上下動させ、底面部材の上下動により計量収容部内のペットフードの収納量を定めることができ、すなわち、カップ本体の筒壁部の上端部から底面部材の上面までの筒壁部の内周面に囲まれた内部空間によりペットフードの収納量が定まることになり、この際、上記カップ本体の筒壁部に取手部が突設されているので、計量収納部内に対するペットフードの掬い取り、ペットフードの給餌皿などへの排出及び携行などの取り扱いを円滑に行うことができ、かつ、上記カップ本体の筒壁部内周面の底端部から中程部まで上記雌ねじ部が形成され、筒壁部内周面の中程部から上端部まで雌ねじ部が無い平滑面をもつ無雌ねじ部に形成されているので、計量収納部内に対するペットフードの掬い取り、ペットフードの給餌皿などへの排出を一層円滑に行うことができると共に、筒壁部内周面に雌ねじ部が存在する場合に比べ、雌ねじ部の無い平滑面の存在により、雌ねじ部のねじ底部へのペットフードの粉や滓の詰入を防ぐこともでき、カップ本体の掃除を容易に行うことができ、さらに、上記カップ本体の筒壁部内周面の底端部から中程部まで上記雌ねじ部が形成され、中程部から上端部まで雌ねじ部が無い平滑面をもつ無雌ねじ部に形成され、底面部材の上限が定められ、計量収容部のペットフードの標準的収納量を定めることができ、計量収容部の標準的収納量よりも多く必要な場合には、上限位置から下降させることになり、その下降量は雌ねじ部の露呈寸法の目視で認識することができ、このため、上記カップ本体の筒壁部に計量目盛を有しない構造とすることにより、製作コストの低減を図ることができる。
【０００９】
又、請求項２記載の発明にあっては、上記カップ本体の筒壁部内周面の中程部に上記底面部材の上限位置を定める規制部が形成されているので、計量収納部の底面部材の上限位置を容易に定めることができ、上記中程部の深さにより定まる計量収容部のペットフードの標準的収納量を正確に定めることができ、計量精度を高めることができ、又、請求項３記載の発明にあっては、上記カップ本体は不透明素材から製作されているので、カップ本体のカラフル化やデザイン化の融通性を向上することができ、斬新なデザインを得ることができ、又、請求項４記載の発明にあっては、上記カップ本体は合成樹脂材から製作されているので、カップ本体のカラフル化やデザイン化の融通性を一層向上することができ、さらに、又、請求項５記載の発明にあっては、上記カップ本体の筒壁部内周面の直径（内径）は４０ｍｍ〜５５ｍｍに形成されているから、内径が径小なカップ本体となって、計量誤差を少なくすることができる。
【図面の簡単な説明】
【００１０】
【図１】本発明の実施の形態例の全体斜視図である。
【図２】本発明の実施の形態例の全体断面図である。
【図３】本発明の実施の形態例の分解斜視図である。
【図４】本発明の実施の形態例の平断面図である。
【図５】本発明の実施の形態例の底面図である。
【図６】本発明の実施の形態例の全体断面図である。
【図７】本発明の実施の形態例の他の使用状態の全体断面図である。
【発明を実施するための形態】
【００１１】
図１乃至図７は本発明の実施の形態例であって、１はカップ本体であって、上端部２ａ及び底端部２ｂが開口する円筒状の筒壁部２に形成され、筒壁部２内周面２ｃに雌ねじ部３が形成されている。
【００１２】
４は底面部材であって、図２，図３の如く、上記カップ本体１の筒壁部２内に配置され、外周面に上記雌ねじ部３に螺着可能な雄ねじ部５が形成され、底部に摘まみ部４ａが形成されてなり、カップ本体１の筒壁部２の上端部２ａから底面部材４の上面４ｂまでの筒壁部２の内周面２ｃに囲まれた内部空間をペットフードＰの計量収容部Ｋとされている。
【００１３】
この場合、図１、図３の如く、上記カップ本体１の筒壁部２に取手部Ｔが突設され、かつ、この場合、図２の如く、上記カップ本体１の筒壁部２内周面２ｃの底端部２ｂから中程部Ｍまで上記雌ねじ部３が形成され、筒壁部２内周面２ｃの中程部Ｍから上端部２ａまで雌ねじ部３が無い平滑面６ａをもつ無雌ねじ部６に形成され、さらに、図１の如く、上記カップ本体１の筒壁部２に計量目盛を有しない構造に構成されている。なお、上記中程部Ｍの深さＨは、計量収容部ＫのペットフードＰの標準的収納量Ｆにより定めることになり、すなわち、深さＨの選定にあたっては、愛玩動物の種類や大きさ、ペットフードの形状や内容などにより定めることになり、したがって、カップ本体１の大きさは汎用品又は専用品として製作されることになる。
【００１４】
又、この場合、図２、図６の如く、上記カップ本体１の筒壁部２内周面２ｃの中程部Ｍに上記底面部材４の上限位置を定める規制部４ｃが形成され、規制部４ｃは上記中程部Ｍの深さＨを定めることになり、この場合、上記規制部４ｃは雌ねじ部３のねじ切り時の切上部として形成されている。
【００１５】
又、この場合、上記カップ本体１は不透明素材から製作され、又、この場合、上記カップ本体は合成樹脂材から製作され、さらに、この場合、上記カップ本体１の筒壁部２内周面２ｃの直径（内径）は４０ｍｍ〜５５ｍｍに形成され、この場合、好ましくは、外径５６ｍｍ、板厚２ｍｍ、内径４２ｍｍ、高さ１００ｍｍとなっている。
【００１６】
この実施の形態例は上記構成であるから、図２、図６、図７の如く、カップ本体１の筒壁部２内に配置された底面部材４を摘まみ部４ａをもって回動し、雌ねじ部３と雄ねじ部５との螺合により底面部材４を上下動させ、底面部材４の上下動により計量収容部Ｋ内のペットフードＰの収納量を定めることができ、すなわち、カップ本体１の筒壁部２の上端部２ａから底面部材４の上面４ｂまでの筒壁部２の内周面２ｃに囲まれた内部空間をペットフードＰの収納量が定まることになり、この際、図１の如く、上記カップ本体１の筒壁部２に取手部Ｔが突設されているので、計量収納部Ｋ内に対するペットフードＰの掬い取り、ペットフードＰの給餌皿などへの排出及び携行などの取り扱いを円滑に行うことができ、かつ、図２の如く、上記カップ本体１の筒壁部２内周面２ｃの底端部２ｂから中程部Ｍまで上記雌ねじ部３が形成され、筒壁部２内周面２ｃの中程部Ｍから上端部２ａまで雌ねじ部３が無い平滑面６ａをもつ無雌ねじ部６に形成されているので、計量収納部Ｋ内に対するペットフードＰの掬い取り、ペットフードＰの給餌皿などへの排出を一層円滑に行うことができると共に、筒壁部２内周面２ｃに雌ねじ部３が存在する場合に比べ、雌ねじ部３の無い平滑面６ａをもつ無雌ねじ部６の存在により、雌ねじ部３のねじ底部へのペットフードＰの粉や滓の詰入を防ぐこともでき、カップ本体１の掃除を容易に行うことができ、さらに、図２、図６、図７の如く、上記カップ本体１の筒壁部２内周面２ｃの底端部２ｂから中程部Ｍまで上記雌ねじ部３が形成され、中程部Ｍから上端部２ａまで雌ねじ部３が無い平滑面６ａをもつ無雌ねじ部６に形成され、底面部材４の上限が定められ、計量収容部ＫのペットフードＰの標準的収納量Ｆを定めることができ、図７の如く、計量収容部Ｋの標準的収納量Ｆよりも多く必要な場合には、上限位置から下降させることになり、その下降量は雌ねじ部３の露呈寸法の目視で認識することができ、このため、上記カップ本体１の筒壁部２に計量目盛を有しない構造とすることにより、製作コストの低減を図ることができる。
【００１７】
この場合、上記カップ本体１の筒壁部２内周面２ｃの中程部Ｍに上記底面部材４の上限位置を定める規制部４ｃが形成されているので、計量収納部Ｋの底面部材４の上限位置を容易に定めることができ、上記中程部Ｍの深さＨにより定まる計量収容部ＫのペットフードＰの標準的収納量Ｆを正確に定めることができ、計量精度を高めることができ、又、この場合、上記カップ本体１は不透明素材から製作されているので、カップ本体１のカラフル化やデザイン化の融通性を向上することができ、斬新なデザインを得ることができ、又、この場合、上記カップ本体１は合成樹脂材から製作されているので、カップ本体１のカラフル化やデザイン化の融通性を一層向上することができ、さらに、この場合、上記カップ本体１の筒壁部２内周面２ｃの直径（内径）は４０ｍｍ〜５５ｍｍに形成され、この場合、好ましくは、外径５６ｍｍ、板厚２ｍｍ、内径４２ｍｍ、高さ１００ｍｍとなっているから、内径が径小なカップ本体１となって、計量誤差を少なくすることができる。
【００１８】
尚、本発明は上記実施の形態例に限られるものではなく、例えば、カップ本体１，筒壁部２、雌ねじ部３、底面部材４，雄ねじ部５、無雌ねじ部６の形状や構造等は適宜変更して設計される。
【００１９】
以上、所期の目的を充分達成することができる。
【符号の説明】
【００２０】
Ｐ    ペットフード
Ｋ    計量収容部
Ｔ    取手部
Ｍ    中程部
１    カップ本体
２    筒壁部
２ａ    上端部
２ｂ    底端部
２ｃ    内周面
３    雌ねじ部
４    底面部材
４ａ    摘まみ部
４ｂ    上面
４ｃ    規制部
５    雄ねじ部
６    無雌ねじ部
６ａ    平滑面
【図１】
2019211221.tif 000003
【図２】
2019211221.tif 000004
【図３】
2019211221.tif 000005
【図４】
2019211221.tif 000006
【図５】
2019211221.tif 000007
【図６】
2019211221.tif 000008
【図７】
2019211221.tif 000009